(57)【要約】【課題】再生手段に光ディスクが装填されてから再生されるまでに要する時間を短縮することができる「車載用オーディオ／ビデオシステム」を提供すること。【解決手段】表示手段と、映像系光ディスク及び音声系光ディスクを再生可能な再生手段と、再生手段に光ディスクが装填されると表示手段が使用可能な状態であるか否かを検知し（Ｓ１２）、表示手段が使用可能な状態である場合には最初に当該光ディスクが映像系光ディスクであるか否かを判別し（Ｓ１３）、当該光ディスクが映像系光ディスクであると判定したときには映像系光ディスクを再生するように再生手段を制御する（Ｓ１７）制御手段とを有する。【選択図】図５
2008282433.tif 000002
【特許請求の範囲】
【請求項１】
表示手段と、
映像系光ディスク及び音声系光ディスクを再生可能な再生手段と、
前記再生手段に光ディスクが装填されると前記表示手段が使用可能な状態であるか否かを検知し、前記表示手段が使用可能な状態である場合には最初に当該光ディスクが映像系光ディスクであるか否かを判別し、当該光ディスクが映像系光ディスクであると判定したときには映像系光ディスクを再生するように前記再生手段を制御する制御手段と
を有することを特徴とする車載用オーディオ／ビデオシステム。
【請求項２】
前記制御手段は、前記表示手段が使用可能な状態ではない場合には最初に当該光ディスクが音声系光ディスクであるか否かを判別し、当該光ディスクが音声系光ディスクであると判定したときには音声系光ディスクを再生するように前記再生手段を制御することを特徴とする請求項１に記載の車載用オーディオ／ビデオシステム。
【請求項３】
前記映像系光ディスクは波長６５０ｎｍ前後の赤色系レーザ光を用いる標準ＤＶＤ及び波長４０５ｎｍ前後の青色系レーザ光を用いる次世代ＤＶＤのうちのいずれかであり、前記音声系光ディスクはＣＤであることを特徴とする請求項１又は請求項２に記載の車載用オーディオ／ビデオシステム。
【請求項４】
前記表示手段は、車両のリア席の搭乗者用の表示ユニットであり、
前記制御手段は、前記表示ユニットの電源がオンであることを検知したときに、前記表示ユニットが使用可能な状態であると判定することを特徴とする請求項１から３のいずれか一項に記載の車載用オーディオ／ビデオシステム。
【請求項５】
前記表示手段は、車両のセンターコンソール又はダッシュボード内に収納されたインダッシュ方式の表示ユニットであり、
前記制御手段は、前記表示ユニットが前記センターコンソール又は前記ダッシュボード内から突出して前記センターコンソール又は前記ダッシュボード上に配置されることを検知したときに、前記表示ユニットが使用可能な状態であると判定することを特徴とする請求項１から３のいずれか一項に記載の車載用オーディオ／ビデオシステム。
【発明の詳細な説明】
【技術分野】
【０００１】
本発明は、車載用オーディオ／ビデオ（Ａ／Ｖ）システムに係り、特に、ＣＤ（Compact Disc）及びＤＶＤ（Digital Versatile Disc）の両方を再生可能な再生手段を有する車載用Ａ／Ｖシステムに関する。
【背景技術】
【０００２】
ディスク状光記録媒体（以下、単に光ディスクという）は、その取り扱いの容易さから広く利用されており、情報を記録／再生するときに波長７８０ｎｍ前後の赤色系レーザ光を用いるＣＤ、波長６５０ｎｍ前後の赤色系レーザ光を用いるＤＶＤ（以下、このＤＶＤのことを標準ＤＶＤという）、及び、波長４０５ｎｍ前後の青色系レーザ光を用いるＤＶＤ（ＨＤ−ＤＶＤ（High-Difinition  ＤＶＤ）やブルーレイディスク：以下、このＤＶＤのことを次世代ＤＶＤという）など複数の種類が存在する。以下、本願においては、標準ＤＶＤと次世代ＤＶＤとを包含したものを単にＤＶＤという。ＤＶＤはＣＤに比べて記憶容量が大きいことから、映像を記録するための記録媒体として用いられることが多い。一方、ＣＤは、従来より音楽を記録するための記録媒体として用いられることが多い。
【０００３】
近年、ＣＤ及びＤＶＤの両方を再生可能なマルチ型のＣＤ／ＤＶＤプレーヤ（再生手段）が普及している。このＣＤ／ＤＶＤプレーヤは、ＣＤプレーヤ単体とＤＶＤプレーヤ単体とを別々に用意する場合に比べて占有するスペースを小さくすることができるので、屋内に設置されるＡ／Ｖシステムのプレーヤとしてだけでなく、設置可能なスペースが限られている車両に搭載される車載用Ａ／Ｖシステムのプレーヤとしても採用されている。
【０００４】
車載用Ａ／Ｖシステムの形態としては種々あるが、例えば近年高級大型車向けに提供され、車両の運転席（フロント席）とは別の座席（リア席）のユーザに対してもプレーヤやラジオ受信機等から出力されるオーディオ情報、プレーヤやＴＶ受信機等から出力されるビデオ情報などのエンターテイメントを提供するリヤ・エンターテイメント・システム（ＲＥＳ：Rear Entertainment System ）がある。
【０００５】
このシステムには、リア席に搭乗しているユーザがオーディオ／ビデオソースの選択や音量調整等の操作を行うための操作ユニット、選択されたソースから出力されるオーディオ信号に応じたオーディオ音を受聴するためのヘッドホン、同じくソースから出力されるビデオ信号に応じた情報を表示するディスプレイなどが用意されている。操作ユニットの形態としては、ユーザが着座する座席の近傍に各座席毎に１台、あるいは複数のユーザに共用させる形で１台、固定的に設けられた「操作パネル」が多く用いられているが、操作性を高めるためにリモートコントローラ（リモコン）が用いられる場合もある。また、ヘッドホンの形態としては、操作ユニットのパネルの表面に設けられたジャックに接続して使用するタイプのものもあるが、多くの場合、「ワイヤレス」タイプのヘッドホンが用いられている。特に、より高級化された大型車で座席数が多くなってくると、「ワイヤレス」タイプのヘッドホンが使用される傾向にある。
【０００６】
かかるリヤ・エンターテイメント・システムにおいて、リア席のユーザが操作ユニットを操作し、ヘッドホン／ディスプレイにどのソースのオーディオ／ビデオ情報を出力させるかを選択指示し、また、ヘッドホン／ディスプレイに出力されているオーディオ／ビデオ情報に係るソースに対して操作指示（シーク・アップ／ダウン、音量調整等）を与えることにより、その指示に基づいて選択もしくは変更されたソースの動作状態が、ヘッドホンを通して受聴され、またディスプレイを通して表示される。フロント側についてもリヤ側と同様に操作ユニットやディスプレイ等を備えているが、ヘッドホンを使用する代わりに、車室内の所定の位置に設置されたスピーカを介してオーディオ情報を出力させる点で相違する。この場合、フロント側の操作ユニットからの選択指示もしくは操作指示が与えられたオーディオ／ビデオソースの動作状態が、スピーカを通して受聴され、またディスプレイを通して表示される。
【０００７】
ところで、ＣＤ／ＤＶＤプレーヤにおいては、光ディスクの種類によってディスクの物理的構造（ピットの大きさや、ディスク表面から記録層までの距離など）やフォーマットなどが異なることから、光ディスクを再生する前に光ディスクの種類を判別する必要がある。
【０００８】
光ディスクの種類の判別に関する従来技術としては、例えば特許文献１に記載されているように、ディスクプレーヤは、被検査ディスクが装填されると、まず、ＤＶＤサーボモードでディスクを駆動してフォーカスエラー信号のピーク値に基づいて装填されたディスクがＤＶＤであるか否かを判別し、ＤＶＤではないと判定した場合においては、続いてＣＤサーボモードでディスクを駆動してフォーカスエラー信号のピーク値に基づいて装填されたディスクがＣＤであるか否かを判別するというものがある。
【特許文献１】特開平１０−２１４４５１号公報
【発明の開示】
【発明が解決しようとする課題】
【０００９】
しかしながら、従来の技術では、例えば最初にＤＶＤであるか否かを判別するための処理を行い、次にＣＤであるか否かを判別するための処理を行うというように、決められた順番で光ディスクの種類を判別しているので、装填された光ディスクが先の順番で判別されるものである場合（この場合ではＤＶＤ）であれば問題はないが、装填された光ディスクが後の順番に判別されるものである場合（この場合ではＣＤ）には光ディスクの種類が判別されるまでに多くの時間がかかってしまう。この結果、装填された光ディスクの種類によっては、光ディスクが再生されるまでに多くの時間がかかってしまうという課題があった。
【００１０】
本発明は、かかる従来技術における課題に鑑み創作されたもので、再生手段に光ディスクが装填されてから再生されるまでに要する時間を短縮することができる車載用オーディオ／ビデオシステムを提供することを目的とする。
【課題を解決するための手段】
【００１１】
上記の従来技術の課題を解決するために、本発明に係る車載用オーディオ／ビデオシステムは、表示手段と、映像系光ディスク及び音声系光ディスクを再生可能な再生手段と、前記再生手段に光ディスクが装填されると前記表示手段が使用可能な状態であるか否かを検知し、前記表示手段が使用可能な状態である場合には最初に当該光ディスクが映像系光ディスクであるか否かを判別し、当該光ディスクが映像系光ディスクであると判定したときには映像系光ディスクを再生するように前記再生手段を制御する制御手段とを有することを特徴とする。
【００１２】
また、上記の形態に係る車載用オーディオ／ビデオシステムにおいて、前記制御手段は、前記表示手段が使用可能な状態ではない場合には最初に当該光ディスクが音声系光ディスクであるか否かを判別し、当該光ディスクが音声系光ディスクであると判定したときには音声系光ディスクを再生するように前記再生手段を制御することを特徴とする。
【００１３】
本発明においては、制御手段は、再生手段に光ディスクが装填されると表示手段が使用可能な状態であるか否かを検知する。表示手段が使用可能な状態である場合には、ユーザが映像を視聴する可能性が高いので、装填された光ディスクが、映像記録用として用いられることが多い映像系光ディスク（例えばＤＶＤ）である可能性が高い。このため、制御手段は、まず最初に、装填された光ディスクが映像系光ディスクＤＶＤであるか否かを判別する。なお、表示手段が使用可能な状態ではない場合には、ユーザが映像を視聴する可能性が低いので、装填された光ディスクが映像系光ディスクではなく、音声記録用として用いられることが多い音声系光ディスク（例えばＣＤ）である可能性が高い。このため、制御手段は、まず最初に、装填された光ディスクが音声系光ディスクであるか否かを判別する。
【００１４】
つまり、本発明においては、制御手段は、表示手段が使用可能な状態であるか否かを検知することにより、装填された光ディスクの種類を予測して最初に判別する光ディスクの種類を決定する。これにより、最初に判別する光ディスクの種類が、装填された光ディスクの種類と一致する可能性が高くなる。このため、従来のように決められた順番で光ディスクの種類を判別するための処理を行う場合よりも装填された光ディスクの種類が判別されるまでに要する時間を短縮することができる。
【００１５】
そして、本発明においては、制御手段は、例えば装填された光ディスクが映像系光ディスクであると判定したときには、映像系光ディスクを再生するように再生手段を制御する。
【００１６】
この結果、本発明では、再生手段に光ディスクが装填されてから再生されるまでに要する時間を短縮することができる。
【００１７】
なお、本発明においては、制御手段は、例えばリヤ・エンターテイメント・システムにおけるリア席の搭乗者用の表示ユニット（表示手段）の電源がオンであることを検知したときに、表示ユニットが使用可能な状態であると判定してもよく、また車両のセンターコンソール又はダッシュボード内に収納可能なインダッシュ方式の表示ユニット（表示手段）が、センターコンソール又はダッシュボード内から突出してセンターコンソール又はダッシュボード上に配置されたことを検知したときに、表示ユニットが使用可能な状態であると判定してもよい。
【発明を実施するための最良の形態】
【００１８】
以下、本発明の実施の形態について、添付の図面を参照しながら説明する。
【００１９】
（第１の実施形態）
図１は本発明の第１の実施形態に係る車載用オーディオ／ビデオ（Ａ／Ｖ）システムの構成を機能的に示したブロック図である。なお、本実施形態においては、本発明をリヤ・エンターテイメント・システム（ＲＥＳ）に適用したものについて説明する。
【００２０】
本実施形態に係る車載用Ａ／Ｖシステム１００は、ラジオ受信機１０、ＴＶ受信機２０、ＣＤ／ＤＶＤプレーヤ３０及びナビゲーションユニット４０の各種Ａ／Ｖソースと、各種Ａ／Ｖソースに対してフロント席の搭乗者が操作指示を行うフロント席用操作ユニット（ヘッドユニット（Ｈ／Ｕ））５０と、同じく各種Ａ／Ｖソース（ナビゲーションユニット１５を除く）に対してリア席の搭乗者が操作指示を行うリア席用操作ユニット６０と、ワイヤレスヘッドホン８６と、フロント席用表示ユニット７０と、リア席用表示ユニット８０と、アンプユニット９５と、スピーカ９６とを備えて構成されている。各ソース１０，２０，３０，４０、各操作ユニット５０，６０、各表示ユニット７０，８０及びアンプユニット９５は、伝送路として供される光ファイバ等のバス９０を介して接続されている。
【００２１】
図示の例では、スピーカ９６は１個のみ示されているが、実際には車室内の所定の場所に所要の個数、例えば、リア席が２列の場合であれば少なくとも各リア席の左右の近傍とフロント席の左右の近傍にそれぞれ２個ずつ、計６個のスピーカ９６が設置されている。リア席用の操作ユニット６０、ワイヤレスヘッドホン６６及び表示ユニット８０についても同様に、それぞれ１台（１個）のみ示されているが、実際にはリア席の搭乗者数に応じて所要の個数、例えば、リア席が２列の場合であれば各リア席の左右の搭乗者用にそれぞれ２台（２個）ずつ、計４台（４個）の操作ユニット６０、ワイヤレスヘッドホン６６及び表示ユニット８０がそれぞれ設けられている。
【００２２】
Ａ／ＶソースのうちＣＤ／ＤＶＤプレーヤ３０は、図２に示すようにセンターコンソール内に設置されている。
【００２３】
フロント席用操作ユニット５０は、運転者と助手席の搭乗者が共用できるようにセンターコンソールのほぼ中間位置に「操作パネル」の形態で設置されている。一方、リア席用操作ユニット６０は、リア席の搭乗者が操作しやすいように「リモコン」の形態で設けられている。
【００２４】
フロント席用表示ユニット７０は、ダッシュボード上のほぼ中間位置に設置されている。この表示ユニット７０は、ＴＶ受信機２０やＣＤ／ＤＶＤプレーヤ３０などの映像ソースから出力された映像情報をディスプレイ画面に表示するＬＣＤモニタ等を有しており、また、必要に応じて、そのディスプレイ画面をフロント席の各搭乗者の方向に回転させる駆動機構も備えている。
【００２５】
リア席用表示ユニット８０は、図２に示すように前の座席のヘッドレストの後部に設置されており、フロント側の表示ユニット７０と同様に映像情報をディスプレイ画面に表示するＬＣＤモニタ等を有している。本発明に係るリア席用表示ユニット８０の内部構成については後で説明する。なお、本実施形態ではリア席用表示ユニット８０を前の座席のヘッドレスト上に設置しているが、設置場所がこれに限定されないことはもちろんである。
【００２６】
各ソース１０〜４０は、基本的な動作として、フロント席用操作ユニット５０からバス９０に送出された操作指示に係るデータ、あるいはリア席用操作ユニット６０からバス９０に送出された操作指示に係るデータを受信し、その操作指示に係るデータに基づいて自己の動作状態を設定もしくは変更し、その結果（現在の動作状態）を指示するデータをオーディオ／ビデオ信号としてバス９０に送出する。例えば、ラジオ受信機１０の場合、操作ユニット５０，６０から与えられる操作指示に応答して、ＦＭ放送やＡＭ放送の信号を受信して復調することにより音声信号を生成し、これをデジタルの音声データに変換して、バス９０に送出する。また、ＣＤ／ＤＶＤプレーヤ３０の場合、操作ユニット５０，６０から与えられる操作指示に応答して、ユーザにより選択されたＣＤやＤＶＤの記録面に記録された信号を読み取り、再生された音声データや映像データをバス９０に送出する。各ソース１０〜４０のうち本発明に係るＣＤ／ＤＶＤプレーヤ３０の内部構成については後で説明する。
【００２７】
フロント席用操作ユニット（Ｈ／Ｕ）５０は、制御部５１と、操作部５２と、表示部５３とを備えている。このうち、操作部５２は、各ソース１０〜４０に対して各種設定操作を行うための各種操作キー、例えば、電源のオン／オフ及び音量調整を行うための電源キー、各ソースを選択するためのソース選択キー、数字キー、所定の機能を行わせるためのプリセットキー、矢印が付されたシフトキー（矢印の部分を操作することでＦＦ／ＲＥＷ動作、シーク・アップ／ダウン動作等の操作を指示する）等を備えている。表示部５３は、操作パネル（Ｈ／Ｕ５０）上にＬＣＤ等の形態で配置されており、制御部５１から出力されるデータに基づいて、各種情報、例えば、ラジオ受信機１０に関してはＦＭ／ＡＭの種別やその放送局の受信周波数など、ＣＤ／ＤＶＤプレーヤ３０に関しては、例えばＣＤの場合には再生位置（トラック数、経過時間等）を表示する。制御部５１は、本実施形態のＡ／Ｖシステム１００全体の制御を行うものであり、基本的には、操作部５２を介して与えられた操作指示に基づき、選択ソースからバス９０を介して送られてくるＡ／Ｖデータを取得してＡ／Ｖ情報の再生を行う動作、操作状況や動作状態等を指示する情報を表示部１３に表示させる動作、Ａ／Ｖ取得状態データの格納動作や読み出し動作等の制御を行う。この場合、取得されたオーディオデータは、制御部５１によりバス９０を介してアンプユニット９５に送られ、適宜Ｄ／Ａ変換され、また音量や音質等の制御が行われ、増幅された後、スピーカ９６を通して音声出力される。また、取得されたビデオデータは、制御部５１によりバス９０を介してフロント席用表示ユニット５０に送られ、そのディスプレイ画面に映像情報として表示される。
【００２８】
リア席用操作ユニット６０は、リア席に搭乗しているユーザが各Ａ／Ｖソース１０〜４０の選択や音量・音質等の操作を行うためのものであり、図示のように制御部６１、操作部６２、表示部６３及びＲＦ送信部６４（アンテナ６４ａを含む）を備えている。このうち、ＲＦ送信部６４は、制御部６１からの制御に基づいて、各Ａ／Ｖソース１０〜４０からバス９０を介して取得したオーディオ／ビデオデータを、アンテナ６４ａを介してワイヤレスヘッドホン６６に送信するものである。制御部６１、操作部６２及び表示部６３の構成及び機能（動作）については、それぞれフロント席用操作ユニット５０の制御部５１、操作部５２及び表示部５３の場合と基本的に同じであるので、その説明は省略する。
【００２９】
以下、本発明の主要な部分であるＣＤ／ＤＶＤプレーヤ３０及びリア席用表示ユニット８０について詳しく説明する。
【００３０】
図３は、車載用Ａ／Ｖシステム１００のうちＣＤ／ＤＶＤプレーヤ３０及びリア席用表示ユニット８０の構成を機能的に示したブロック図である。
【００３１】
まず、リア席用表示ユニット８０の内部構成について説明する。
【００３２】
図３に示すようにリア席用表示ユニット８０は、制御部８０１と、操作部８０２と、ＬＣＤモニタ等からなる表示部８０３と、表示ドライバ８０４とを備えている。
【００３３】
このうち、表示部８０３は、制御部８０１からの制御に基づき表示ドライバ８０４を介して表示制御が行われ、フロント側の表示ユニット７０と同様に、ＴＶ受信機２０やＣＤ／ＤＶＤプレーヤ３０などの映像ソースからバス９０を介して取得した映像データ（情報）をディスプレイ画面に表示するものである。
【００３４】
操作部８０２は、図４に示す電源のオン／オフを行うための電源キー８０２ａ、映像調整を行うための映像調整キーなどの操作キーを備えている。
【００３５】
制御部８０１は、リア席用操作ユニット６０から与えられた操作指示に基づき、選択ソースからバス９０を介して送られてくるビデオデータを取得してビデオ情報の再生を行う動作、操作状況や動作状態等を指示する情報を表示部８０３に表示させる動作等の制御を行う。この場合、取得されたビデオデータは、制御部８０１により表示ドライバ８０４を介して表示部８０３に送られ、そのディスプレイ画面に映像情報として表示される。
【００３６】
さらに、この制御部８０１は、本発明に関連する処理として、ユーザの電源キー８０２ａの操作によって表示ユニット８０の電源が「オン」になり、表示部８０３が使用可能な状態になると、そのことを示すデータをバス９０に出力する。
【００３７】
次に、ＣＤ／ＤＶＤプレーヤ３０の内部構成について説明する。本実施形態において、ＣＤ／ＤＶＤプレーヤ３０はＣＤ及び標準ＤＶＤの両方を再生可能なプレーヤであるものとする。
【００３８】
図３に示すようにＣＤ／ＤＶＤプレーヤ３０において、３００は光ディスク（ＣＤ又は標準ＤＶＤ）、３０１はディスク３００が載置されるターンテーブル、３０２はディスク３００が装填されているか否かを検出するディスク装填検出部である。ディスク３００は、ローディング部（図示せず）により装填され、ターンテーブル３０１と押え板（図示せず）とに挟まれてチャッキングされる。また、３０３はディスク３００を載置したターンテーブル３０１を一定の線速度で回転駆動するスピンドルモータ、３０４はディスク３００の記録面にレーザ光を照射してその反射光により、ディスク３００に記録されたデータを読み出す光ピックアップ、３０５は光ピックアップ３０４が取り付けられたスレッド（図示せず）をディスク３００の半径方向に移動させる送りモータ（例えば、ステッピングモータ、ＤＣモータ等）である。
【００３９】
光ピックアップ３０４からは、レーザ光のメインスポットから得られる４つの電流信号（Ａ信号、Ｂ信号、Ｃ信号、Ｄ信号）とサイドスポットから得られる２つの電流信号（Ｅ信号、Ｆ信号）が出力される。この光ピックアップ３０４は、特に図示はしていないが、ピックアップ内にＣＤ用対物レンズ（図示せず）及び標準ＤＶＤ用対物レンズ（図示せず）と、これらの対物レンズ（図示せず）を光ディスク３００の面に対して水平方向又は垂直方向に移動させるためのアクチュエータ（図示せず）を有している。また、３０６は光ピックアップ３０４から出力された電流信号を電圧に変換して可変増幅するＲＦ（Radio Frequency） アンプを示し、再生ＲＦ信号及びＥＦＭ（Eight to Fourteen Modulation）信号を生成すると共に、Ａ／Ｂ／Ｃ／Ｄ信号に基づいてフォーカスエラー信号を、またＥ／Ｆ信号に基づいてトラッキングエラー信号を、それぞれ生成するものである。
【００４０】
また、３０７は後述するシステムコントローラ３１２によって制御されるサーボ回路であり、その機能ブロックとしてフォーカスサーボ制御部３０７ａ、トラッキングサーボ制御部３０７ｂ、ピックアップ送りサーボ制御部３０７ｃ及びスピンドルサーボ制御部３０７ｄを有している。サーボ回路３０７は、ＲＦアンプ３０６から供給されるフォーカスエラー信号及びトラッキングエラー信号に基づいて、各サーボ制御部３０７ａ〜３０７ｄからそれぞれフォーカス制御信号、トラッキング制御信号、ピックアップ送り制御信号及び回転制御信号を生成し、これら生成した各制御信号に基づいてディスク駆動系の各部を制御する。すなわち、フォーカス制御信号に基づいて、光ピックアップ３０４からのレーザ光の焦点がディスク３００の信号面に合うように光ピックアップ３０４のフォーカスアクチュエータ（図示せず）を駆動制御し、トラッキング制御信号に基づいて、レーザ光がディスク３００のトラックを追跡できるように光ピックアップ３０４のトラッキングアクチュエータ（図示せず）を駆動制御し、ピックアップ送り制御信号に基づいて送りモータ１４を駆動制御し、回転制御信号に基づいてスピンドルモータ３０５を駆動制御する。さらに、サーボ回路３０７は、ＲＦアンプ３０６が行う可変増幅動作に係るゲインを調整する機能も有している。
【００４１】
また、３０８は後述するシステムコントローラ３１２によって制御されるデジタル信号処理回路であり、例えばＤＳＰ（デジタルシグナルプロセッサ）により構成されている。このデジタル信号処理回路３０８は、基本的には、ＲＦアンプ３０６から供給される再生ＲＦ信号に基づいて、サーボ回路３０７の各サーボ制御部３０７ａ〜３０７ｄがそれぞれ制御信号を生成するタイミングをとるための同期信号を発生したり、ＲＦアンプ３０６から供給されるＥＦＭ信号を復調し、圧縮データとして出力する機能を有している。
【００４２】
また、３０９は後述するシステムコントローラ３１２によって制御されるストリーム分離部であり、デジタル信号処理部３０８から出力された制御信号以外のデータ信号を、オーディオビットストリームと、メインピクチャ（映像情報）ビットストリーム及びサブピクチャ（文字情報）ビットストリームとに分離するものである。ここに、メインピクチャビットストリームはＭＰＥＧ２のフォーマットに従って圧縮された信号であり、サブピクチャビットストリームはランレングス圧縮方式に従って圧縮された信号である。
【００４３】
また、３１０はストリーム分離部３０９で分離されたオーディオビットストリームをオーディオ信号の種類（リニアＰＣＭ、ＡＣ−３、ＭＰＥＧオーディオ等）に応じて復号化処理し、デジタルオーディオ信号をバス９０に出力するオーディオデコーダ、３１１はストリーム分離部３０９で分離されたメインピクチャビットストリーム及びサブピクチャビットストリームを復号化処理し、デジタルビデオ信号をバス９０に出力するビデオデコーダである。
【００４４】
また、３１２はマイクロコンピュータにより構成されたシステムコントローラであり、このシステムコントローラ３１２には、ユーザが指示する情報を入力するための各種操作キーを備えた操作部３１３が接続されている。システムコントローラ３１２は、操作部３１３から入力された信号、デジタル信号処理部３０８からの信号及びストリーム分離部３０９からの信号に基づいて、サーボ制御部３０７、デジタル信号処理部３０８及びストリーム分離部３０９を制御する。また、システムコントローラ３１２は、ディスク装填検出部３０２からのデータによりディスク３００が装填されたか否かを判定する。
【００４５】
さらに、このシステムコントローラ３１２は、本発明に関連する処理として、リア席用表示ユニット８０の制御部８０１からのデータにより表示部８０３が使用可能な状態であるか否かを判定し、その判定結果に応じて最初に判定する光ディスク３００の種類（本実施形態の場合ではＣＤ又は標準ＤＶＤ）を決定する。
【００４６】
操作部３１３には、各種操作キーとして、ディスク３００に記録された映像情報や音声情報等のコンテンツを再生させるための「再生」キー、再生動作等を停止させるための「停止」キー、コンテンツの再生中にその特定箇所を検索して当該箇所に遷移させるための機能（スキップ、サーチ、早送り、早戻し、スロー、ステップなど）に係る機能キー、上記の機能キーの操作に基づく処理をキャンセルする動作モードに設定するためのキャンセルモード設定キー、本プレーヤ３０の電源のオン／オフを切り換えるための電源スイッチなどが設けられている。
【００４７】
以上のように構成された車載用Ａ／Ｖシステム１００において、リア席用表示ユニット８０は「表示手段」に対応し、ＣＤ／ＤＶＤプレーヤ３０は「再生手段」に対応し、システムコントローラ３１２は「制御手段」に対応している。
【００４８】
以下、本実施形態に係る車載用Ａ／Ｖシステム１００において行う光ディスクの種類判別及び再生に係る処理について、その処理フローの一例を示す図５を参照しながら説明する。なお、前提条件として車載用Ａ／Ｖシステム１００は電源が「オン」の状態（イグニッションキーがＡＣＣの位置）にあるものとする。
【００４９】
図５を参照すると、最初のステップＳ１１では、ＣＤ／ＤＶＤプレーヤ３０のシステムコントローラ３１２は、ディスク装填検出部３０２からのデータを参照し、光ディスク３００が装填されることを監視している。システムコントローラ３１２は光ディスク３００が装填されたことを検知すると、次のステップＳ１２に進む。
【００５０】
ステップＳ１２において、システムコントローラ３１２は、リア席用表示ユニット８０の制御部８０１からのデータを参照し、４つのリア席用表示ユニット８０のうちのいずれか１つの電源が「オン」の状態にある（ＹＥＳ）か否（ＮＯ）かを判定する。判定結果がＹＥＳの場合にはステップＳ１３に進み、判定結果がＮＯの場合にはステップＳ２３に進む。ステップＳ２３以降のフロー内容については後述する。
【００５１】
ステップＳ１３において、システムコントローラ３１２は、まず、装填された光ディスク３００が標準ＤＶＤである（ＹＥＳ）か否（ＮＯ）かを判定する。このとき、システムコントローラ３１２は、例えばレーザ光を光ディスク３００に照射し、光ピックアップ３０４のフォーカスアクチュエータを駆動して標準ＤＶＤ用対物レンズを光ディスク３００の面に垂直な方向に移動させ、所定の時間内にレーザ光の焦点が光ディスク３００の信号面に合う（ＹＥＳ）か否（ＮＯ）かを判定する。判定結果がＹＥＳの場合にはステップＳ１７に進み、判定結果がＮＯの場合にはステップＳ１４に進む。
【００５２】
装填された光ディスク３００が標準ＤＶＤであると判定した場合には、ステップＳ１７において、システムコントローラ３１２は標準ＤＶＤを再生するための処理を行う。この後、本処理フローは「終了」する。
【００５３】
一方、装填された光ディスク３００が標準ＤＶＤではないと判定した場合には、ステップＳ１４において、システムコントローラ３１２は、次に、装填された光ディスク３００がＣＤである（ＹＥＳ）か否（ＮＯ）かを判定する。このとき、システムコントローラ３１２は、例えばフォーカスアクチェータによって駆動する対象をＣＤ用対物レンズにすること以外はステップＳ１３と同じ内容の処理を行う。判定結果がＹＥＳの場合にはステップＳ１９に進み、判定結果がＮＯの場合にはステップＳ１５に進む。
【００５４】
装填された光ディスク３００がＣＤであると判定した場合には、ステップＳ１９において、システムコントローラ３１２はＣＤを再生するための処理を行う。この後、本処理フローは「終了」する。
【００５５】
一方、装填された光ディスク３００がＣＤではないと判定した場合には、ステップＳ１５において、システムコントローラ３１２は、装填された光ディスク３００が標準ＤＶＤでもＣＤでもないので、使用できないディスクであると判定し、エラーであることを示すデータをバス９０に出力する。これにより、リア席用表示ユニット８０の制御部８０１は、表示ドライバ８０４を制御して表示部８０３のディスプレイ画面に、例えば「使用できないディスクです」のようにエラーであること示すメッセージを表示させる。この後、本処理フローは「終了」する。
【００５６】
また、ステップＳ１２において、リア席用表示ユニット８０の電源が「オン」の状態にない（ＮＯ）と判定した場合にはステップＳ２３に進む。このステップＳ２３において、システムコントローラ３１２は、まず、装填された光ディスク３００がＣＤである（ＹＥＳ）か否（ＮＯ）かを判定する。判定結果がＹＥＳの場合にはステップＳ２７に進み、判定結果がＮＯの場合にはステップＳ２４に進む。
【００５７】
装填された光ディスク３００がＣＤであると判定した場合には、ステップＳ２７において、システムコントローラ３１２はＣＤを再生するための処理を行う。この後、本処理フローは「終了」する。
【００５８】
一方、装填された光ディスク３００がＣＤではないと判定した場合には、ステップＳ２４において、システムコントローラ３１２は、次に、装填された光ディスク３００が標準ＤＶＤである（ＹＥＳ）か否（ＮＯ）かを判定する。判定結果がＹＥＳの場合にはステップＳ２９に進み、判定結果がＮＯの場合にはステップＳ２５に進む。
【００５９】
装填された光ディスク３００が標準ＤＶＤであると判定した場合には、ステップＳ２９において、システムコントローラ３１２は標準ＤＶＤを再生するための処理を行う。この後、本処理フローは「終了」する。
【００６０】
一方、装填された光ディスク３００が標準ＤＶＤではないと判定した場合には、ステップＳ２５において、システムコントローラ３１２は、装填された光ディスク３００が使用できないディスクであると判定し、エラーであることを示すデータをバス９０に送信する。これにより、リア席用表示ユニット８０の制御部８０１は、表示ドライバ８０４を制御して表示部８０３のディスプレイ画面に、例えば「使用できないディスクです」のようにエラーであること示すメッセージを表示させる。この後、本処理フローは「終了」する。
【００６１】
以上説明したように、本実施形態に係る車載用Ａ／Ｖシステム１００によれば、ＣＤ／ＤＶＤプレーヤ３０のシステムコントローラ３１２は、リア席用表示ユニット８０の電源が「オン」状態であるか否かを検知することにより、装填された光ディスク３００が、映像記録用として用いられることが多い標準ＤＶＤなのか、あるいはそうではないＣＤなのかを予測して、最初に判別する光ディスク３００の種類を決定する。これにより、最初に判別する光ディスクの種類が、装填された光ディスク３００の種類と一致する可能性が高くなる。このため、装填された光ディスク３００の種類が判別されるまでに要する時間を短縮することができる。そして、例えば装填された光ディスクがＤＶＤであると判定したときには、ＤＶＤを再生するための処理を行う。この結果、ＣＤ／ＤＶＤプレーヤ３０に光ディスク３００が装填されてから再生されるまでに要する時間を短縮することができる。
【００６２】
（第２の実施形態）
図６は本発明の第２の実施形態に係る車載用オーディオ／ビデオ（Ａ／Ｖ）システムの構成を機能的に示したブロック図である。なお、本実施形態においても、本発明をリヤ・エンターテイメント・システム（ＲＥＳ）に適用したものについて説明する。また、本実施形態と第１の実施形態との違いはＣＤ／ＤＶＤプレーヤ及びフロント席用表示ユニットの構成にあり、その他の構成は第１の実施形態と基本的に同じであるので、本実施形態においては第１の実施形態と同じ構成のものには同じ符号を付して、その説明は省略する。
【００６３】
本実施形態の車載用Ａ／Ｖシステム２００は、ラジオ受信機１０、ＴＶ受信機２０、ＣＤ／ＤＶＤプレーヤ３０ａ及びナビゲーションユニット４０の各種Ａ／Ｖソースと、フロント席用操作ユニット（ヘッドユニット（Ｈ／Ｕ））５０と、リア席用操作ユニット６０と、ワイヤレスヘッドホン８６と、フロント席用表示ユニット７５と、リア席用表示ユニット８０と、アンプユニット９５と、スピーカ９６とを備えて構成されている。各ソース１０，２０，３０，４０、各操作ユニット５０，６０、各表示ユニット７５，８０及びアンプユニット９５は、伝送路として供される光ファイバ等のバス９０を介して接続されている。
【００６４】
Ａ／ＶソースのうちＣＤ／ＤＶＤプレーヤ３０ａは、フロント席用表示ユニット７５付きＣＤ／ＤＶＤプレーヤの形態で、図７に示すようにダッシュボード内に設置されている。このフロント席用表示ユニット７５は、図８（ａ）に示すように不使用時にはモニタがダッシュボード内に収納され、図８（ｂ）に示すように使用時にはモニタがダッシュボード内から突出してダッシュボード上に配置されるインダッシュ方式のモニタの形態で設けられている。なお、本実施形態では、フロント席用表示ユニット７５は、ＣＤ／ＤＶＤプレーヤ３０ａとともにダッシュボード内に設置されているが、設置場所はこれに限定されず、例えばセンターコンソール内にとしてもよい。
【００６５】
以下、本発明の主要な部分であるＣＤ／ＤＶＤプレーヤ３０ａ及びフロント席用表示ユニット７５について詳しく説明する。
【００６６】
図９は、車載用Ａ／Ｖシステム２００のうちＣＤ／ＤＶＤプレーヤ３０ａ及びフロント席用表示ユニット７５の構成を機能的に示したブロック図である。
【００６７】
まず、フロント席用表示ユニット７５の内部構成について説明する。
【００６８】
図９に示すようにリア席用表示ユニット７５は、制御部７０１と、操作部７０２と、ＬＣＤモニタ等からなる表示部７０３と、表示ドライバ７０４と、モニタ駆動部７０５と、モニタ位置検出部７０６とを備えている。
【００６９】
このうち、表示部７０３は、制御部７０１からの制御に基づき表示ドライバ７０４を介して表示制御が行われ、ＴＶ受信機２０やＣＤ／ＤＶＤプレーヤ３０ａなどの映像ソースからバス９０を介して取得した映像データ（情報）をディスプレイ画面に表示するものである。
【００７０】
操作部７０２は、表示部７０３の収納／排出を行うための収納／排出キー、表示部７０３のディスプレイ画面を上下及び左右に傾けるための角度調整キー、映像調整を行うための映像調整キーなどの操作キーを備えている。なお、本実施形態では、表示ユニット７５はインダッシュ方式モニターであり、不使用時には表示ユニットのほとんどの部分がダッシュボード内に収納されているので、操作キーのうち収納／排出キーは表示ユニット７５以外の場所（例えば、ＣＤ／ＤＶＤプレーヤ３０ａのフロントパネル上の所定箇所）に設けられている。
【００７１】
モニタ駆動部７０５は、特に図示しないが、表示部７０３をダッシュボード内から外部に向けて水平方向に突出させるための水平駆動用モータ（図示せず）と、外部に突出した表示部７０３を上下に傾けるためのチルト用モータ（図示せず）と、外部に突出した表示部７０３を左右に傾けるための首振り用モータ（図示せず）とを有している。また、モニタ位置検出部７０６は、プッシュ式スイッチや赤外線センサ等のセンサにより構成され、表示部７０３がダッシュボード内から所定の位置まで外部に突出して所定の角度に傾いて、図８（ｂ）に示すようにダッシュボード上の所定の位置に配置されたことを検出する。
【００７２】
制御部７０１は、フロント席用操作ユニット５０から与えられた操作指示に基づき、選択ソースからバス９０を介して送られてくるビデオデータを取得してビデオ情報の再生を行う動作、操作状況や動作状態等を指示する情報を表示部７０３に表示させる動作等の制御を行う。この場合、取得されたビデオデータは、制御部７０１により表示ドライバ７０４を介して表示部７０３に送られ、そのディスプレイ画面に映像情報として表示される。
【００７３】
また、制御部７０１は、操作部７０２から与えられた操作指示に基づき、モニタ駆動部７０５を制御して表示部７０３をダッシュボード内から外部に水平方向に突出させたり、外部に突出した表示部８０３を上下にチルトさせたり、表示部８０３を左右に首振りさせたりする。
【００７４】
さらに、この制御部７０１は、本発明に関連する処理として、表示部７０３がダッシュボード内から突出してダッシュボード上の所定の位置に配置され、表示部７０３が使用可能な状態になると、そのことを示すデータをバス９０に出力する。
【００７５】
次に、ＣＤ／ＤＶＤプレーヤ３０ａの内部構成について説明する。本実施形態において、ＣＤ／ＤＶＤプレーヤ３０ａはＣＤ及び標準ＤＶＤの両方を再生可能なプレーヤであるものとする。
【００７６】
図９に示すように、本実施形態のＣＤ／ＤＶＤプレーヤ３０ａの構成は、第１の実施形態のＣＤ／ＤＶＤプレーヤ３０の構成と基本的に同じである。但し、本実施形態のシステムコントローラ３１２ａは、第１の実施形態のシステムコントローラ３１２と異なり、本発明に関する処理として、フロント席用表示ユニット７５の制御部７０１からのデータによって表示部７０３が使用可能な状態であるか否かを判定し、その判定結果に応じて最初に判定すべき光ディスク３００の種類（本実施形態の場合ではＣＤ又は標準ＤＶＤ）を決定する。
【００７７】
以上のように構成された車載用Ａ／Ｖシステム２００において、フロント席用表示ユニット７５は「表示手段」に対応し、ＣＤ／ＤＶＤプレーヤ３０ａは「再生手段」に対応し、システムコントローラ３１２ａは「制御手段」に対応している。
【００７８】
以下、本実施形態に係る車載用Ａ／Ｖシステム２００において行う光ディスクの種類判別及び再生に係る処理について、その処理フローの一例を示す図１０を参照しながら説明する。なお、前提条件として車載用Ａ／Ｖシステム２００は電源が「オン」の状態（イグニッションキーがＡＣＣの位置）にあるものとする。
【００７９】
図１０を参照すると、最初のステップＳ３１では、ＣＤ／ＤＶＤプレーヤ３０ａのシステムコントローラ３１２ａは、ディスク装填検出部３０２からのデータを参照し、光ディスク３００が装填されることを監視している。システムコントローラ３１２ａが光ディスク３００が装填されたことを検知すると、次のステップＳ３２に進む。
【００８０】
ステップＳ３２において、システムコントローラ３１２ａは、フロント席用表示ユニット７５の制御部７０１からのデータを参照し、表示ユニット７５の表示部７０３がダッシュボード内から突出してダッシュボード上の所定の位置に配置された（ＹＥＳ）か否（ＮＯ）を判定する。判定結果がＹＥＳの場合にはステップＳ３３に進み、判定結果がＮＯの場合にはステップＳ４３に進む。ステップＳ４３以降のフロー内容については後述する。
【００８１】
ステップＳ３３において、システムコントローラ３１２ａは、まず、装填された光ディスク３００が標準ＤＶＤである（ＹＥＳ）か否（ＮＯ）かを判定する。判定結果がＹＥＳの場合にはステップＳ３７に進み、判定結果がＮＯの場合にはステップＳ３４に進む。
【００８２】
装填された光ディスク３００が標準ＤＶＤであると判定した場合には、ステップＳ３７において、システムコントローラ３１２ａは標準ＤＶＤを再生するための処理を行う。この後、本処理フローは「終了」する。
【００８３】
一方、装填された光ディスク３００が標準ＤＶＤではないと判定した場合には、ステップＳ３４において、システムコントローラ３１２ａは、次に、装填された光ディスク３００がＣＤである（ＹＥＳ）か否（ＮＯ）かを判定する。判定結果がＹＥＳの場合にはステップＳ３９に進み、判定結果がＮＯの場合にはステップＳ３５に進む。
【００８４】
装填された光ディスク３００がＣＤであると判定した場合には、ステップＳ３９において、システムコントローラ３１２ａはＣＤを再生するための処理を行う。この後、本処理フローは「終了」する。
【００８５】
一方、装填された光ディスク３００がＣＤではないと判定した場合には、ステップＳ３５において、システムコントローラ３１２ａは、装填された光ディスク３００が使用できないディスクであると判定し、エラーであることを示すデータをバス９０に送信する。これにより、フロント席用表示ユニット７５の制御部７０１は、表示ドライバ７０４を制御して表示部７０３のディスプレイ画面に、例えば「使用できないディスクです」のようにエラーであること示すメッセージを表示させる。この後、本処理フローは「終了」する。
【００８６】
また、ステップＳ３２において、表示ユニット７５の表示部７０３がダッシュボード内から突出してダッシュボード上の所定の位置に配置されていない（ＮＯ）と判定した場合には、ステップＳ４３に進む。このステップＳ４３において、システムコントローラ３１２ａは、まず、装填された光ディスク３００がＣＤである（ＹＥＳ）か否（ＮＯ）かを判定する。判定結果がＹＥＳの場合にはステップＳ４７に進み、判定結果がＮＯの場合にはステップＳ４４に進む。
【００８７】
装填された光ディスク３００がＣＤであると判定した場合には、ステップＳ４７において、システムコントローラ３１２ａはＣＤを再生するための処理を行う。この後、本処理フローは「終了」する。
【００８８】
一方、装填された光ディスク３００がＣＤではないと判定した場合には、ステップＳ４４において、システムコントローラ３１２ａは、次に、装填された光ディスク３００が標準ＤＶＤである（ＹＥＳ）か否（ＮＯ）かを判定する。判定結果がＹＥＳの場合にはステップＳ４９に進み、判定結果がＮＯの場合にはステップＳ４５に進む。
【００８９】
装填された光ディスク３００が標準ＤＶＤであると判定した場合には、ステップＳ４９において、システムコントローラ３１２ａは標準ＤＶＤを再生するための処理を行う。この後、本処理フローは「終了」する。
【００９０】
一方、装填された光ディスク３００が標準ＤＶＤではないと判定した場合には、ステップＳ４５において、システムコントローラ３１２ａは、装填された光ディスク３００が使用できないディスクであると判定し、エラーであることを示すデータをバス９０に送信する。これにより、フロント席用表示ユニット７５の制御部７０１は、表示ドライバ７０４を制御して表示部７０３のディスプレイ画面に、例えば「使用できないディスクです」のようにエラーであること示すメッセージを表示させる。この後、本処理フローは「終了」する。
【００９１】
以上説明したように、本実施形態に係る車載用Ａ／Ｖシステム２００によれば、ＣＤ／ＤＶＤプレーヤ３０ａのシステムコントローラ３１２ａは、フロント席用表示ユニット７５の表示部７０３がダッシュボード内から突出してダッシュボード上の所定の位置に配置されたか否かを検知することにより、装填された光ディスク３００が、映像記録用として用いられることが多い標準ＤＶＤなのか、あるいはそうではないＣＤなのかを予測して、最初に判別する光ディスク３００の種類を決定する。これにより、最初に判別する光ディスクの種類が、装填された光ディスク３００の種類と一致する可能性が高くなる。このため、装填された光ディスク３００の種類が判別されるまでに要する時間を短縮することができる。そして、例えば装填された光ディスクがＤＶＤであると判定したときには、ＤＶＤを再生するための処理を行う。この結果、ＣＤ／ＤＶＤプレーヤ３０ａに光ディスク３００が装填されてから再生されるまでに要する時間を短縮することができる。
【００９２】
なお、本実施形態においては、本発明をＲＥＳに適用したものについて説明したが、適用対象となる車載用Ａ／Ｖシステムはそれに限定されない。例えば、本発明を、リア席用操作ユニット及び表示ユニットのない車載用Ａ／Ｖシステムに適用してもよい。
【００９３】
また、上述した第１及び第２の実施形態においては、本発明の「再生手段」としてＣＤ及び標準ＤＶＤの両方を再生可能なＣＤ／ＤＶＤプレーヤ３０，３０ａを採用しているが、プレーヤの種類はそれに限定されない。例えば、本発明の「再生手段」としてＣＤ、標準ＤＶＤ及び次世代ＤＶＤ（ＨＤ−ＤＶＤやブルーレイディスク）の全てを再生可能なＣＤ／ＤＶＤプレーヤを採用してもよい。この形態では、表示ユニットが使用可能な状態であるか否かを判定することにより、装填された光ディスクが、映像記録用として多く用いられることが多いＤＶＤなのか、あるいはそうではないＣＤなのかを予測して、最初に判別する光ディスクの種類を決定する。なお、この形態においては、表示ユニットが使用可能な状態であると判定した場合に標準ＤＶＤ及び次世代ＤＶＤのどちらを先に判別するのかについては、使用頻度を考慮して決めてもよい。例えば標準ＤＶＤが次世代ＤＶＤよりも使用頻度が高い場合には、先に標準ＤＶＤを判別し、その次に次世代ＤＶＤを判別するようにしてもよい。
【図面の簡単な説明】
【００９４】
【図１】図１は、本発明の第１の実施形態に係る車載用オーディオ／ビデオ（Ａ／Ｖ）システムの構成を機能的に示したブロック図である。
【図２】図２は、本発明の第１の実施形態の主要な部分であるＣＤ／ＤＶＤプレーヤ及びリア席用表示ユニットの車両における設置位置を概略的に示す図である。
【図３】図３は、本発明の第１の実施形態の主要な部分であるＣＤ／ＤＶＤプレーヤ及びリア席用表示ユニットの内部構成を機能的に示したブロック図である。
【図４】図４はリア席用表示ユニットの外観を示す図である。
【図５】図５（ａ），５（ｂ）は、本発明の第１の実施形態の車載用Ａ／Ｖシステムにおいて行う光ディスクの種類判別及び再生に係る処理の一例を示すフロー図である。
【図６】図６は、本発明の第２の実施形態に係る車載用Ａ／Ｖシステムの構成を機能的に示したブロック図である。
【図７】図７は、本発明の第２の実施形態の主要な部分であるＣＤ／ＤＶＤプレーヤ及びフロント席用表示ユニットの車両における設置位置を概略的に示す図である。
【図８】図８はフロント席用表示ユニット及びＣＤ／ＤＶＤプレーヤの外観を示す図であり、図８（ａ）はフロント席用表示ユニットの表示部がダッシュボード内に収納されている状態を示す図であり、図８（ｂ）はフロント席用表示ユニットの表示部がダッシュボード上に配置されているときの状態を示す図である。
【図９】図９は、本発明の第２の実施形態の主要な部分であるＣＤ／ＤＶＤプレーヤ及びリア席用表示ユニットの内部構成を機能的に示したブロック図である。
【図１０】図１０（ａ），１０（ｂ）は、本発明の第２の実施形態の車載用Ａ／Ｖシステムにおいて行う光ディスクの種類判別及び再生に係る処理の一例を示すフロー図である。
【符号の説明】
【００９５】
３０，３０ａ…ＣＤ／ＤＶＤプレーヤ（再生手段）、
５０…フロント席用操作ユニット（Ｈ／Ｕ）、
６０…リア席用操作ユニット、
７０，７５…フロント席用表示ユニット（表示手段）、
８０…リア席用表示ユニット（表示手段）、
９０…バス（伝送路）、
１００，２００…車載用オーディオ／ビデオ（Ａ／Ｖ）システム、
３００…光ディスク、
３０１…ターンテーブル、
３０２…ディスク装填検出部、
３０４…光ピックアップ、
３１２，３１２ａ…システムコントローラ（制御手段）、
７０１…フロント席用表示ユニットの制御部、
７０２…フロント席用表示ユニットの操作部、
７０３…フロント席用表示ユニットの表示部、
７０５…モニタ駆動部、
７０６…モニタ位置検出部、
８０１…リア席用表示ユニットの制御部、
８０２，８０２ａ…リア席用表示ユニットの操作部、
８０３…リア席用表示ユニットの表示部。
【図１】
2008282433.tif 000003
【図２】
2008282433.tif 000004
【図３】
2008282433.tif 000005
【図４】
2008282433.tif 000006
【図５】
2008282433.tif 000007
【図６】
2008282433.tif 000008
【図７】
2008282433.tif 000009
【図８】
2008282433.tif 000010
【図９】
2008282433.tif 000011
【図１０】
2008282433.tif 000012